(57)【要約】【課題】  建物に対するサッシの取り付け状態に応じて、適切な下側レール部の構造を少ない部品でしかも簡単に構築することが可能なサッシ構造を提供する。  【解決手段】  上下左右の枠からなる支持枠１０と、支持枠１０に移動自在に支持された移動枠２０と、移動枠２０を支持枠１０に沿って移動ガイドする上側レール部５０ａおよび下側レール部５０ｂとを備えたサッシ構造において、下側レール部５０ｂは、移動体２０を移動させる際のガイドとなるレール体５５と、室内側床面７０に接続する立上り壁５８を有する床面接続体５７とにより構成されていて、レール体５５と床面接続体５７は、断熱材からなるジョイント部材５６を介して連結されていることを特徴とするサッシ構造である。【選択図】        図３
2005113384.tif 000002
【特許請求の範囲】
【請求項１】
上下左右の枠からなる支持枠と、
該支持枠に移動自在に支持された移動枠と、
該移動枠を前記支持枠に沿って移動ガイドする上側レール部および下側レール部とを備えたサッシ構造において、
前記下側レール部は、前記移動体を移動させる際のガイドとなるレール体と、室内側床面に接続する立上り壁を有する床面接続体とにより構成されていて、
前記レール体と前記床面接続体は、断熱材からなるジョイント部材を介して連結されていることを特徴とするサッシ構造。
【請求項２】
前記床面接続体の天地方向における一端側と他端側には、立ち上がり高さの異なる立上り壁がそれぞれ形成されていていることを特徴とする請求項１記載のサッシ構造。
【請求項３】
前記床面接続体の天地方向における一端側と他端側には、前記移動枠と前記室内側床面との位置関係に応じた形状の立上り壁がそれぞれ形成されていることを特徴とする請求項１または２に記載のサッシ構造。
【請求項４】
前記床面接続体の天地方向における一端側には略一直線状の立上り壁が形成され、他端側には略逆Ｌ字状の立上り壁が形成されていることを特徴とする請求項３記載のサッシ構造。
【発明の詳細な説明】
【技術分野】
【０００１】
本発明は、サッシ構造に関し、より詳細には、支持枠の下枠に形成される下側レール部おいて、サッシ構造と室内側床面との位置関係に応じて、床面と下側レール部との接続が選択可能に形成されているサッシ構造に関する。
【背景技術】
【０００２】
サッシ構造は以前から多数提案されており、移動枠の枠材にアルミニウム合金を用いたアルミサッシや、枠材に合成樹脂を用いた樹脂サッシ、さらには木材を用いた木製サッシが提案されていて、それぞれのサッシ構造においては、断熱性能を向上させるための構造や、移動枠自体の構造等について多数の出願がなされている。
近年においては、サッシ構造自体の性能を左右する移動枠の構造そのものの出願よりも、サッシを配設する建物の態様に適合するサッシを配設することに関する構造について研究が進められ、例えば特許文献１に示すような、サッシ構造が提案されている。
【０００３】
特許文献１に開示されているサッシ下枠構造は、建築物の屋外開口部に備えられた引き違い戸や片引き戸等のスライド開閉障子からなる出入口下部をフラットに形成し、バリアフリー化を図ったものである。このように、サッシの下枠（下側レール部）と室内側床面との接続部分における段差を減らし、バリアフリー住宅とする際に好適なサッシ下枠の構造については多数の出願がなされている。
【特許文献１】特開２００３−１４８０５５号公報
【発明の開示】
【発明が解決しようとする課題】
【０００４】
しかしながら、特許文献１に記載されているサッシ下枠（下側レール部）構造は、バリアフリーに特化した技術であり、床面とサッシの下枠との段差を小さくするためのものである。一般に、床面とサッシの下枠との段差は、雨水が床面に溢れてこないようにするために、効率的に排水させる部分として設けられている。
近年における住宅設計にはさまざまな形態のものが要求され、建物に対するサッシの取り付け状態にも複数の状態が採用される。建物に対するサッシの取り付け状態よっては、サッシの下枠構造がそれぞれ異なったものになることが多い。例えば、軒先が深いところにサッシを取り付ける場合においては、軒先が無いところに比べてサッシの下枠に雨水が溜まりにくくなるので、床面とサッシの下枠との段差を小さくすることができる。また、サッシを半外付けにする場合と、サッシを外付けにする場合においても床面と下枠の立上り壁の形状が各々異なる。
【０００５】
図７は、半外付けサッシ用の下枠構造を外付けサッシの下枠構造に適用した一例を示す平面図である。図７に示すように、半外付けサッシに用いる下枠構造を外付けサッシに用いようとすると、図中のＭ部分に示されているように、床面７０と接続部Ｚが柱Ｙと干渉してしまうため、施工の都度、床面７０と接続部Ｚが柱Ｙと干渉する部分を切り取りする加工が必要になり煩雑である。
また、サッシＷの幅が広くなる場合においては、移動枠２０の召し合わせ部分Ｘに柱Ｙが配設される場合があり、接続部Ｚが床面７０と干渉する箇所が増え、切り取り加工に非常に手間がかかるためさらに煩雑になるため好ましくない。
このように、建物に対するサッシの取り付け状態に応じて、多くのサッシ下枠構造が存在するため、建物におけるサッシの取り付け状態に応じたサッシの下枠構造をそれぞれ用意しなければならず、汎用性に欠けるといった課題や部品数の増加によるコストアップといった課題がある。
【０００６】
本発明は、建物に対するサッシの取り付け状態に応じて、適切な下枠（下側レール部）構造を少ない部品でしかも簡単に構築することが可能なサッシ構造を提供することを目的とする。
【課題を解決するための手段】
【０００７】
以上の目的を達成するべく、本発明は以下の構成を備える。
すなわち、上下左右の枠からなる支持枠と、該支持枠に移動自在に支持された移動枠と、該移動枠を前記支持枠に沿って移動ガイドする上側レール部および下側レール部とを備えたサッシ構造において、前記下側レール部は、前記移動体を移動させる際のガイドとなるレール体と、室内側床面に接続する立上り壁を有する床面接続体とにより構成されていて、前記レール体と前記床面接続体は、断熱材からなるジョイント部材を介して連結されていることを特徴とするサッシ構造である。
【０００８】
また、前記床面接続体の天地方向における一端側と他端側には、立ち上がり高さの異なる立上り壁がそれぞれ形成されていていることを特徴とする。
さらに、前記床面接続体の天地方向における一端側と他端側には、前記移動枠と前記室内側床面との位置関係に応じた形状の立上り壁がそれぞれ形成されていることを特徴とする。
さらにまた、前記床面接続体の天地方向における一端側には略一直線状の立上り壁が形成され、他端側には略逆Ｌ字状の立上り壁が形成されていることを特徴とする。
【発明の効果】
【０００９】
本発明に係るサッシ構造を採用することにより、少ない部品数であっても、建物に対するサッシの取り付け状態に応じて適切な下枠構造を簡単に構築することが可能になる。
また、サッシの下枠の一部である断熱材をジョイント部として用い、下枠と床面との連結に必要な箇所を選択して接続させる簡単な構造であるので、部品の製造コストおよび施工コストを大幅に削減することができる。
さらには、逆Ｌ字状の立上り壁を備えることにより、室内側床面の端部処理を隠すことができる。
【発明を実施するための最良の形態】
【００１０】
以下、本発明の好適な実施の形態について添付図面を参照しながら詳細に説明する。図１は、本発明にかかるサッシ構造を適用した窓を室内側から見た正面図である。図２は図１のＡ−Ａ線における断面図である。図３は、図２中のＢ部分の拡大図である。なお、図２、図３においてはハッチングを省略している部分がある。
建物の壁面等に固定して設置される支持枠１０は、上横支持枠１２、下横支持枠１４、左縦支持枠１６、右縦支持枠１８によって、矩形に形成されている。支持枠１０には、支持枠内を左右方向に往復自在な移動枠２０として、外障子３０、内障子４０が引き違いに配設されている。本実施の形態においては、外障子３０および内障子４０は、それぞれ上横枠３２、４２、下横枠３４、４４、右縦枠３６、４６、左縦枠３８、４８を長方形に組み立てることにより形成されている。
移動枠２０は、支持枠１０の上横支持枠１２および下横支持枠１４に取り付けられたレール部５０ａ、５０ｂにガイドされながら支持枠１０内をそれぞれ図１の左右方向に移動する。
【００１１】
本実施の形態においては、長方形の支持枠１０に長方形の移動枠２０を配設した引き違い方式としているが、支持枠１０と移動枠２０の形状はそれぞれ長方形に限定されるものではなく他の形状であっても良い。また、移動枠２０の移動方式は引き違い方式に限定されず、片開き方式等他の移動方式であってもよいのはもちろんである。
【００１２】
移動枠２０の一部である外障子３０の組み立て方法について説明する。なお、内障子４０の組み立て方法については、外障子３０の組み立て方法を適用すればよいのでここではその説明を省略する。
外障子３０は上横枠３２と下横枠３４の両端が右縦枠３６と左縦枠３８と当接する部分において互いに凹凸嵌合により連結して形成される。
【００１３】
外障子３０の各枠体を完全に長方形に組み立てする前に、ガラス６０を各枠体の内側部分に取り付ける。本実施の形態では図２に示すように、ペアガラス６０ａ、６０ｂを使用している。ペアガラス６０ａ、６０ｂは室外側及び室内側の表面の端辺にシール部材６２ａ、６２ｂを介在させ、外障子３０の枠の内側面に当接する部分にスペーサ６４を介在させた上で枠体に嵌め込まれる。なお、シール部材６２ａ、６２ｂは衝撃に対するガラスの緩衝材としての機能も有している。
【００１４】
上横枠について説明する。
外障子３０の上横枠３２には、図２に示すように、外障子３０が支持枠１０内を移動する方向と同じ方向に凹溝３２ａが形成されている。凹溝３２ａには、上側取付体３３が配設されている。上側取付体３３に形成された室外側の係止溝３３ａには、シール部材Ｓが係止されている。
【００１５】
次に、上側レール部５０ａについて説明する。
本実施の形態における上側レール部５０ａは、図２に示すように、上横支持枠１２に内障子４０のレール５０ａｏと外障子３０のレール５０ａｉとがそれぞれ独立した形態のものが用いられている。それぞれのレール体５１ａｏ、５１ａｉは、上横支持枠１２に形成された取付凹溝５２にそれぞれ嵌合させた支持部５３に揺動可能に支持されている。このようにレール体５１ａｏ、５１ａｉとを独立して配設し、室内側と室外側との上側レール部５０ａによる熱伝導を無くすことにより、上側レール部５０ａにおける結露の発生が抑制される。また、レール体５１ａｏは、外障子３０の上横枠３２の凹溝３２ａに若干進入する位置まで形成されていると共に、レール体５１ａｏが上横支持枠１２への取付軸に対して揺動可能になっているので、移動枠２０の変形や支持枠１０の取り付け誤差があったとしても移動枠２０が円滑に移動できる。
なお、上側レール部５０ａには、外障子３０のレール部５０ａｏ、内障子４０のレール部５０ａｉがひとつの部品に形成された、従来構造の上側レール部を用いることも可能であるのはもちろんである。
【００１６】
下横枠について説明する。
下横枠３４には、図３に示すように、上横枠３２に形成された凹溝３２ａと同方向に凹溝３４ａが形成されている。凹溝３４ａには、下側取付体３５が配設されている。下側取付体３５にはレール部５０ｂを狭持するガイド３５ａおよび図示しない戸車がネジ止めにより取り付けられている。また、下側取付体３５に形成された係止溝３５ｂにはシール部材Ｓが係止されている。
図２、図３においては、上横枠３２および下横枠３４共に室外側の係止溝３３ａ、３５ｂのみにシール部材Ｓが配設されているが、係止溝３３ａ、３５ｂの室内側若しくは室外側および室内側の両方の係止溝３３ａ、３５ｂに配設することももちろんできる。
【００１７】
下側レール部５０ｂについて説明する。
下側レール部５０ｂは、図３に示すように、外障子３０の下側レール部５０ｂｏと、内障子４０の下側レール部５０ｂｉが形成されたレール体５５と、断熱材により形成され、レール体５５に連結されるジョイント部材５６と、ジョイント部材５６と室内側の床面７０に連結する床面接続体５７とにより構成されている。下側レール部５０ｂは、降雨等により下横支持枠１４に溜まる水を室外側に排水させるため、上端面は全体的に室内側から室外側に傾斜して形成されている。
【００１８】
ジョイント部材５６は、断熱性を有する樹脂により形成されている。ジョイント部材５６には、室外側および室内側にそれぞれ長手方向に伸びる取付溝５６ａが形成されていて、取付溝５６ａに床面接続体５７の接続部５９を嵌合させることにより接続して、下側レール部５０ｂを形成する。図３に示すように、下側レール部５０ｂは室外側と室内側が連続しているが、ジョイント部材５６が熱伝導を遮断し、結露の発生を抑制する。
【００１９】
床面接続体５７は、室内側床面７０と下側レール部５０ｂの上端面との段差を形成し、室内側床面７０に直接接続される立上り壁５８と、ジョイント部材５６の取付溝５６ａに嵌合させる接続部５９が形成されている。立上り壁５８と直接連続する接続部５９は、ジョイント部材５６、レール体５５のそれぞれの上端面と共に雨水等の排水路を形成し、室内側から室外側へ傾斜する形状に形成されている。
本実施の形態における床面接続体５７は、建物に対するサッシの取り付け状態に応じて立上り壁５８を適宜選択してジョイント部材５６に接続することができる。例えば、サッシを取り付ける位置に庇や屋根等が形成されている場合においては、床面７０と下側レール部５０ｂとの段差部分における雨水排水量が少ないため、立上り壁５８は低く形成しても良い。また、サッシを取り付ける箇所に庇や屋根等が無く、移動枠２０に直接雨水が降りかかる場合等においては、立上り壁５８を高くし、床面７０と下側レール部５０ｂとの段差を大きく形成することが好ましい。
【００２０】
本実施の形態においては、図４に示すように、立上り壁５８は鉛直に伸びる略一直線状に形成され、床面接続体５７の天地方向における一端部および他端部にそれぞれ異なる高さのものが形成されている。したがってひとつの床面接続体５７であっても、床面接続体５７の天地方向を入れ替えて接続部５９をジョイント部材５６の取付溝５６ａに連結すれば、図５に示すように、通常の段差（Ｈ２）を有するサッシ窓およびバリアフリー規格に適合する小さい段差（Ｈ１）を有するサッシ窓の両方に対応できる。
【００２１】
なお、図４、図５に示す床面接続体５７は、天地方向の両端部分に立上り壁５８が異なる高さで形成されたものを用いているが、図６に示すような、天地方向の両端部分において、各々形状の異なる立上り壁５８を有する床面接続体５７とすることもできる。これによれば、半外付けサッシや外付けサッシといった建物に対するサッシの取り付け状態による床面７０への下側レール部（下枠）５０ｂの取付形状についても、ひとつの床面接続体５７で対応することができるため好適である。
【００２２】
また、図６に示す床面接続体５７は、接続部５９に対して上方に延出した後、床面の上端面に当接するような略逆Ｌ字状の形状に形成されていて、室内側床面７０の仕上がり端部を隠すことができるので好都合である。また、このような立上り壁５８の形状は、半外付けサッシ構造における標準的な形状であるので、ひとつの床面接続体５７であっても、外付けサッシ構造と半外付けサッシ構造の両タイプに対応することができ有用である。
【００２３】
以上の実施の形態においては移動枠２０にペアガラス６０ａ、６０ｂを用いている。ペアガラス６０ａ、６０ｂ間には断熱層である空気層または真空層が存在し、外部からの熱伝導を抑えることができるため、レール部５０の断熱効果と組み合わせることにより、断熱効果に優れた木製サッシとすることができる。また、ペアガラス６０ａ、６０ｂのいずれか一方又は両方の内面に熱反射素材によるコーティングすることも可能であり、これによりさらに断熱効果を高めることができ好適である。
また、移動枠２０に嵌め込むガラス６０を単純なペアガラス６０ａ、６０ｂとしているが、これに限定されず、一枚のガラスを取り付けたものとしてもかまわない。
【図面の簡単な説明】
【００２４】
【図１】本実施の形態におけるサッシを取り付けた窓の室内側からの正面図である。
【図２】図１中のＡ−Ａ線における断面図である。
【図３】図２中のＢ部分の拡大図である。
【図４】床面取付体の形状を示す正面図である。
【図５】床面取付体の天地方向を逆にした状態の比較図である。
【図６】床面取付体の他の形状を示す正面図である。
【図７】半外付けサッシ用の下枠構造を外付けサッシの下枠構造に適用した一例を示す平面図である。
【符号の説明】
【００２５】
１０  支持枠
３０  外障子
３２ａ  凹溝
３５  取付体
３５ａ  ガイド
３５ｂ  係止溝
５２  取付凹溝
５３  支持部
５５  レール体
５６  ジョイント部材
５６ａ  取付溝
５７  床面接続体
５８  立上り壁
５９  接続部
７０  床面
Ｓ  シール部材
【図１】
2005113384.tif 000003
【図２】
2005113384.tif 000004
【図３】
2005113384.tif 000005
【図４】
2005113384.tif 000006
【図５】
2005113384.tif 000007
【図６】
2005113384.tif 000008
【図７】
2005113384.tif 000009